(57)【要約】【課題】家屋・塀・仮囲い等の建造物の表面を緑化するに供する表面緑化用器材及び表面緑化方法において、緑化対象如何に係わらず簡便な手段により、緑化を低コストで確実簡便に取り進め得るものを提供することを課題とする。【解決手段】緑化植物を植生可能なマットを複数箇所で表側に向けて凸状に膨出させ、緑化植物と共に土壌や保水材等を保持する複数のポケット部を形成し、これにより家屋・塀・仮囲い等の建造物の表面緑化用器材を構成したことにより、表面緑化用器材自体の加工、工作の簡便化、容易化を図り、その製作、据え付け等のコストを大幅に節減し、緑化システムの普及に寄与、貢献した。【選択図】            図１
2004267084.tif 000002
【特許請求の範囲】
【請求項１】
緑化植物を植生可能なマットを複数箇所で表側に向けて凸状に膨出させ、緑化植物と共に土壌や保水材等を保持する複数のポケット部を形成したことを特徴とする家屋・塀・仮囲い等の建造物の表面緑化用器材。
【請求項２】
前記表側に向けて凸状に膨出させたポケット部は、同凸状の膨出部分を固化したことを特徴とする請求項１に記載の家屋・塀・仮囲い等の建造物の表面緑化用器材。
【請求項３】
前記マットは、緑化植物を植生可能なマットに代えて、全体に亘って固化した硬質マットを採用したことを特徴とする請求項１に記載の家屋・塀・仮囲い等の建造物の表面緑化用器材。
【請求項４】
前記マットは繊維状素材により不織布状に形成した繊維マットで構成したことを特徴とする請求項１乃至３の何れかに記載の家屋・塀・仮囲い等の建造物の表面緑化用器材。
【請求項５】
前記繊維状素材は再生繊維を用いていることを特徴とする請求項４に記載の家屋・塀・仮囲い等の建造物の表面緑化用器材。
【請求項６】
前記緑化植物を植生可能なマットに代えて、熱硬化性のプラスチックを採用し、これに前記ポケット部を形成したことを特徴とする請求項１に記載の家屋・塀・仮囲い等の建造物の表面緑化用器材。
【請求項７】
前記緑化植物を植生可能なマットに代えて、吹き付けタイル用素材、または微細な砕石等を固化した硬質シート状部材等の内外装仕上げ材を採用し、これに前記ポケット部を形成したことを特徴とする請求項１に記載の家屋・塀・仮囲い等の建造物の表面緑化用器材。
【請求項８】
前記それぞれのマットを複数箇所で表側に向けて凸状に膨出させて形成したポケット部の裏側には、保水性に富んだ保水マットを設置したことを特徴とする請求項１乃至７の何れかに記載の家屋・塀・仮囲い等の建造物の表面緑化用器材。
【請求項９】
請求項１乃至８の何れかに記載の表面緑化用器材を用い、そのポケット部に土壌や保水材を収納して緑化植物を植え込み、これを取付けて家屋・塀・仮囲い等を緑化するようにしたことを特徴とする家屋・塀・仮囲い等の建造物の表面緑化方法。
【発明の詳細な説明】
【０００１】
【発明の属する技術分野】
本発明は、家屋の表面となる屋根の外面や壁の外面、同家屋に付随する塀の表面となる塀の内外面、道路等に沿って設置されるフェンス全般、更には建築現場等において、通行人に対する安全性の確保、又は工事現場を部外者の視界から遮蔽すること等を目的として工事期間中に同建築現場等を囲って設けられる仮囲い等々（本明細書中においては、これらの建造物を「家屋・塀・仮囲い」で代表させる）の表面に、緑化植物を配置、配列する際に用いられる、家屋・塀・仮囲い等の建造物の表面緑化用器材、および同表面緑化用器材を用いた家屋・塀・仮囲い等の建造物の表面緑化方法に関するものである。
【０００２】
【従来の技術】
既に周知の域に達しているように、近時地球規模での温暖化現象やヒートアイランド現象が顕著となり、これらの対応として、首都圏のみならず地方都市においても家屋の屋上をはじめとしてその壁面、そして家屋に付随する塀の表面等々の緑化技術（緑化システム）が脚光を浴びるようになって来た。
【０００３】
この種の緑化技術は、始原的にはヨーロッパ、特にドイツに端を発し、全世界的に広まりつつあるが、わが国においては近時行政指導を含めて緑化基準が強化されたこともあって、当該緑化技術が加速的に普及する趨勢にある。
【０００４】
このような緑化技術、特に先鞭をつけた屋上の緑化技術を中心としてわが国における発展の段階を振り返ってみると、この種の緑化技術はフェルト製やプラスチック製の繊維製又は不織布製のマットを敷設するもの、若しくは椰子繊維質等の薄層のマットに適宜の緑化植物を植生してこれを屋上に敷設するもの等に端を発している。
【０００５】
他方、前記のように薄層のマットに植生を施していわゆる植生マットを形成し、これを単に敷設するだけの構成では、強風による植生マットの捲れや飛散をはじめとして、同植生マットの移動によりこのマット中に在る床土等の土壌の流出が生じやすく、また、薄層であるために水分の蒸発が生じて植生が枯れたり、同植生自体の成長が進んで緑化植物が過剰に繁殖すると、薄層での支持がダメージを受けることもあるので、このような不具合の発生を防止して緑化植物の安定的な成長を促すより適切な植生マットを作り、これを屋根、壁、塀等々の表面に確実、容易に取り付け、かつ維持管理も簡便化するより好ましい手法について、不断の開発努力が進められている。
【０００６】
また、前記緑化部分は平坦な屋上のみならず切妻式の傾斜した屋根を含み、更に傾斜が直角となる家屋の壁面や塀の表面へと拡張されていくに従い、単に平坦な植生マットを使用するだけではなく、この植生マットの表面にポケット状のプランタを金具やビス等の固着具を用いて取り付けるようにしたものも現れるに至っている。
【０００７】
【特許文献１】
特開２００２−２７２２８１号公報（図２のプランター１０）
【０００８】
【発明が解決しようとする課題】
前記したように、従来の一般的な手法としての植生マットを主体とした緑化技術では、緑化対象が平坦な屋上の場合はともかく、これが傾斜屋根の表面となり、更にこの傾斜が大きくなって、壁面とか塀の表面へと適用範囲が広がっていくに従い、植生マットのみに依存するものから、これにポケット状のプランタを組み合わせたものが採用される傾向にある。
【０００９】
しかしながら、植生マットにポケット状のプランタを組み合わせる場合には、前記したように金具やビス等の固着具を用い、植生マットの下層に配置された野地板等の建造物の基本構造部分に対して植生マットとポケット状のプランタを個々に固着することになるため、その製作、設置に要する資材及び手間のコストは決して少ないものではない。
【００１０】
しかも緑化対象の建造物が、一般の一戸建ち家屋から、マンション等集合住宅形式の家屋となり、学校等のように大型の公共的建物へと規模が拡張する程にその製作、設置、更に維持管理に要するコストは嵩むことになる。
【００１１】
本発明は、このような従来の状況、及び今後更に発展する緑化システムのニーズに鑑みてなされたもので、緑化対象が種々変化してもより簡便な手段により、緑化を低コストで確実簡便に取り進め得るようにした家屋・塀・仮囲い等の建造物の表面緑化用器材、および同表面緑化用器材を用いた家屋・塀・仮囲い等の建造物の表面緑化方法を提供することを課題とするものである。
【００１２】
【課題を解決するための手段】
本発明は前記した課題を解決すべくなされたもので、その第１の手段として、緑化植物を植生可能なマットを複数箇所で表側に向けて凸状に膨出させ、緑化植物と共に土壌や保水材等を保持する複数のポケット部を形成した家屋・塀・仮囲い等の建造物の表面緑化用器材を提供するものである。
【００１３】
すなわち同第１の手段によれば、家屋・塀・仮囲い等の建造物の表面を緑化するための緑化植物と、同緑化植物が元気よく育成するために寄与する土壌や保水材等を併せ収納し保持する複数のポケット部を、同緑化植物を植生可能なマットを用いてこのマットの表側に向けて凸状に膨出させることにより緑化用器材を構成しているので、この凸状の膨出加工により地の部分と一体物で構成された複数のポケット部を有する緑化用器材は、別体物として構成された複数のポケット状部分（例えば従来のポケット状のプランタ）を取付けて一体化する構造ではないために、それ自体の加工、工作の簡便化、容易化により、その製作、据え付け等のコストを大幅に節減できることになる。
【００１４】
特に地の部分とポケット部を一体物で構成されたこの緑化用器材は、本来が緑化植物を植生可能なマットであるために、ポケット部以外の膨出していない地の部分においても植物が植生されるので、ポケット部で育成される植物と相俟ってマットの全面に亘って多彩な緑化を実現可能とし、しかもポケット部においてはここに植え付ける緑化植物の交換が容易に行えることにより、前記多種、多彩性を一段と高め得ることになる。
【００１５】
また、本発明は第２の手段として、前記第１の手段において、前記表側に向けて凸状に膨出させたポケット部は、同凸状の膨出部分を固化した家屋・塀・仮囲い等の建造物の表面緑化用器材を提供するものである。
【００１６】
すなわち同第２の手段によれば、緑化植物を植生可能なマットを複数箇所で表側に向けて凸状に膨出させて形成された前記ポケット部は、例えば一定の加熱、加圧条件下で所定の加工することにより同ポケット部を固化して、同ポケット部に植え付ける緑化植物の保全性を高め、かつ、植え換えの容易化を図り、四季折々に季節感に富んだ緑化を図り得るものである。
【００１７】
また、本発明は第３の手段として、前記第１の手段において、前記マットは、緑化植物を植生可能なマットに代えて、全体に亘って固化した硬質マットを採用した家屋・塀・仮囲い等の建造物の表面緑化用器材を提供するものである。
【００１８】
すなわち同第３の手段によれば、前記マットは全体に亘って実質的に均一に固化されたものを採用し、これに複数箇所で表側に向けて凸状に膨出させたポケット部を形成しているので、強度的にもバランスが良くなり、型崩れすることなく容易に小分割出来、かつ運搬も容易となって、近年流行のガーデニング等を始めとして小区画の緑化等に適用範囲を拡張し、緑化システムの普及を図り得るものである。
【００１９】
また、本発明は第４の手段として、前記第１乃至第３の手段の何れかにおいて、前記マットは繊維状素材により不織布状に形成した繊維マットで構成した家屋・塀・仮囲い等の建造物の表面緑化用器材を提供するものである。
【００２０】
すなわち同第４の手段によれば、緑化植物を植生可能とし、かつ、複数箇所で表側に向けて凸状に膨出させてポケット部を形成された前記マットは、繊維状素材を選び、不織布状に形成した繊維マットであるので、ポケット部の膨出加工の容易性に加えて緑化植物が根張りするのを容易にし、同緑化植物の育成を助長し得るものである。
【００２１】
また、本発明は第５の手段として、前記第４の手段において、前記繊維状素材は再生繊維を用いている家屋・塀・仮囲い等の建造物の表面緑化用器材を提供するものである。
【００２２】
すなわち同第５の手段によれば、緑化植物を植生可能とし、かつ、複数箇所で表側に向けて凸状に膨出させてポケット部を形成された繊維マットは、再生繊維を用いているので、産業リサイクルに貢献するのみならず、その製造コストを更に一層節減し得るものである。
【００２３】
また、本発明は第６の手段として、前記第１の手段において、前記緑化植物を植生可能なマットに代えて、熱硬化性のプラスチックを採用し、これに前記ポケット部を形成した家屋・塀・仮囲い等の建造物の表面緑化用器材を提供するものである。
【００２４】
すなわち同第６の手段によれば、表側に向けて凸状に膨出させることにより複数のポケット部を地の部分と一体物で形成するマットは、植生可能なマットではなくこれに代えて熱硬化性のプラスチックを採用しているので、同マット自体の製作コストを大幅に低減し得るものである。
【００２５】
また、本発明は第７の手段として、前記第１の手段において、前記緑化植物を植生可能なマットに代えて、吹き付けタイル用素材、または微細な砕石等を固化した硬質シート状部材等の内外装仕上げ材を採用し、これに前記ポケット部を形成した家屋・塀・仮囲い等の建造物の表面緑化用器材を提供するものである。
【００２６】
すなわち同第７の手段によれば、表側に向けて凸状に膨出させることにより複数のポケット部を地の部分と一体物で形成するマットは、植生可能なマットではなくこれに代えて、吹き付けタイル用素材、または微細な砕石等を固化した硬質シート状部材等の内外装仕上げ材を採用しているので、マット自体の質感を重厚なものに変え、豪華な家屋壁面、ビル状の建造物にも適合性を持たせ得、緑化表面の適用対象の幅を拡張し得るものである。
【００２７】
また、本発明は第８の手段として、前記第１乃至第７の何れかの手段において、前記それぞれのマットを複数箇所で表側に向けて凸状に膨出させて形成したポケット部の裏側には、保水性に富んだ保水マットを設置した家屋・塀・仮囲い等の建造物の表面緑化用器材を提供するものである。
【００２８】
すなわち同第８の手段によれば、緑化植物を植生可能なマット、繊維状素材により不織布状に形成した繊維マット、再生繊維を用いて形成したマット、熱硬化性のプラスチックで形成したマット、そして微細な砕石を固化した質感の硬質シート状内外装仕上げ材を採用したマット等々それぞれのマットに複数箇所で表側に向けて凸状に膨出させ、各マットと一体物で形成したポケット部には、その裏側に保水性に富んだ保水マットを設置しているので、同ポケット部内における保水機能はより安定化し、緑化植物の育成に一層寄与し得るものである。
【００２９】
さらにまた、本発明は第９の手段として、前記第１乃至第８の何れかの手段における表面緑化用器材を用い、そのポケット部に土壌や保水材を収納して緑化植物を植え込み、これを取付けて家屋・塀・仮囲い等を緑化するようにした家屋・塀・仮囲い等の建造物の表面緑化方法を提供するものである。
【００３０】
すなわち同第９の手段によれば、前記第１乃至第８の手段それぞれにおける表面緑化用器材の何れかを選択して使用し、同選択した表面緑化用器材に適切な緑化植物をその育成に寄与する土壌や保水材と共に収納し、これを緑化の対象とする家屋・塀・仮囲い等の表面に取り付けるというステップを経て、簡便、かつ、適切に所期の表面緑化を行い得るものである。
【００３１】
【発明の実施の形態】
本発明の実施の第１形態について図１乃至図３に基づいて説明する。
図１は本実施の形態における表面緑化用器材の一部を抜粋して示す正面図、図２は図１のＡ−Ａ断面図、図３は図１のＢ−Ｂ断面図である。
【００３２】
すなわち、本実施の形態は、家屋・塀・仮囲い等の建造物の中で、家屋の壁とか塀や仮囲いの表面のように、上下方向に鉛直又はそれに近い角度で立設されている部位をセダムやハーブ等の緑化植物で緑化するものに係る。
【００３３】
本実施の形態において、１はマットで、同マット１はポリエステルやポリエチレン等の繊維状の素材を不織布（例えばニードルフェルト）状に加工して形成されているので、植物の毛根、細根が侵入して水分や栄養分を吸収し得る構造であり、そのために植生マット、緑化マット等と通称されるものである。
【００３４】
２はポケット部で、前記マット１の裏側から表側に向けて凸状に膨出（張り出し）加工して形成され、洋服等におけるポケットの概念と同様に、マット１に上下方向を定めたときに上方に来る部位を開放し、側方から下方にかけて閉塞する形状をなしており、その膨らみを物品の収納部として使用できるものである。
【００３５】
なお、ポケット部２は、洋服等におけるポケットの概念を引用したが、これは物を収納するという機能面の概念を明確にするために引用したもので、同ポケットの形状を特定するために引用したものではない。
【００３６】
すなわち、ポケット部２の形状は多種多様であり、図に示した正に洋服のポケットのイメージに近いものから、正面投影が三角形状、台形状、正方形状、縦長又は横長の長方形状、丸形状等の単純な幾何学形状をはじめとしてこれらを組み合わせた複合形状のもの、更には火山の噴火口をイメージするような、中央に火口状の凹部を有して周辺を盛り上げたクレーター形状のもの等々が採用し得、本明細書ではこれらを総称して「ポケット部」と呼んでいる。
【００３７】
このポケット部２は、平板状のマット１を用いて、これを所定の成形機にかけ、加圧・加熱して張り出し部を形成することにより製造するので、同ポケット部２は張り出し部以外の平坦部分と一体物であり、一体張り出し成形品、一体膨出成形品と称呼し得るものである。
【００３８】
そしてこのポケット部２は、マット１の表面に例えば図１に示すような千鳥状の配列にして多数設けられるが、勿論この配列は千鳥状に限定されるものではなく、用途等に応じて任意の配置、配列を選択し得、それぞれのポケット部２は、ここで育成する希望の緑化植物３と、同緑化植物３に所定の養分、水分を供給して同緑化植物３を育成するために寄与する土壌７及びロックウール等の保水材８を入れるためのものである。
【００３９】
また、マット１は、前記したように植生マット、または緑化マット等と呼称されるように、それ自身が緑化植物３を植生可能なものであり、前記膨出したポケット部２以外の膨出していない実質的に平坦な地の部分においても植物が植生される得るようになっている。
【００４０】
また、図中、４は基盤を示し、同基盤４は緑化を行う建造物が家屋の壁のときにはいわゆる壁面がこれに相当し、同建造物が家屋に付随する塀、又は工事現場の仮囲いのときには塀又は仮囲いを立設する壁板状の部材がこれに相当することになる。
【００４１】
同様に図中、５は防水層を示し、前記緑化植物３を含む外部から湿気が基盤４に侵入しないように、同基盤４を防御するためのものであり、反対に６は保水層で、マット１の裏面で前記防水層５との間に配置してポケット部２を含めてマット１に植生された緑化植物３用の水分を確保するためのものである。
【００４２】
また、図示省略しているが、前記マット１を設置する緑化表面の上部に当たる位置には、散水管又は滴水管のような灌水装置を配置し、自動制御又は手動調整してスプリングクーラ状またはドリップ状に前記マット１に適量の水分を供給するようにしてもよい。
【００４３】
なおマット１は前記したようにポリエステル、ポリエチレン等の繊維状の素材により形成されているが、一般的には柔軟性と強度に富んだ不織布状のマット部材で形成されることが多く、同マット１を形成する繊維素材としては、綿、麻、セルロース、ジュート、毛、絹等の天然繊維、カーボン繊維、アセテート、レーヨン等の再生繊維、ポリエステル、ポリアミド（ナイロン）、アクリル等の合成繊維が採用され得る。
【００４４】
また、マット１は、これを構成する繊維状の素材として、必ずしも常に新しい素材を用いて製造する必要はなく、リサイクル品として再生された、いわゆる再生繊維を用いて製造されたものであってもよいことは勿論である。
【００４５】
前記のように本実施の形態においては、家屋の壁、塀、仮囲い等の建造物表面の緑化を取り進めるに際し、緑化対象とする表面に複数のポケット部２を凸状に一体物として膨出加工したマット１を、防水層５及び保水層６等を介して適宜の固着手段を用いて取付けることになるが、ここで基本となる緑化用器材は、緑化植物３及び同緑化植物３の育成に寄与する土壌７や保水材８を併せ収納し保持する複数のポケット部２を、同緑化植物３等を植生可能なマット１をその表側に向けて凸状に膨出加工して一体物として形成しているので、緑化用器材自体としての加工、工作は簡便化、容易化され、しかもこの緑化用器材を家屋の壁、塀又は仮囲い等の希望する表面に設置することで、容易に、かつ、低コストで前記建造物表面の所期の緑化を達成することが出来る。
【００４６】
しかも前記マット１はポケット部２以外の地の部分にも緑化植物３を植生可能であるので、緑化量を多くするのみならず、緑化面に凹凸をつけ深みのある緑化を行うことが出来る。
【００４７】
またポケット部２では緑化植物３を側部及び底部で支持するという基本形態となるため、緑化植物３の移植、交換等も容易に行うことができ、緑化の多様性を増し、四季折々の季節感を堪能することも出来る。
【００４８】
次に本発明の実施の第２形態について図４に基づいて説明する。
図４は本実施の形態における表面緑化用器材の一部を示す断面図である。
【００４９】
すなわち、本実施の形態は、前記実施の第１形態が家屋・塀・仮囲い等の建造物の中で、家屋の壁とか塀や仮囲いの表面のように、上下方向に鉛直又はそれに近い角度で立設されている部位を緑化していたのに対して、家屋の屋根のように傾斜した面を緑化するものに係る。
【００５０】
従ってその正面は、前記実施の第１形態における図１と同様の形態に表現されることになるので、重複を避け、説明の簡略化を図るべく、図４を提示して説明するに止め、また、前記実施の第１形態と対応する部位については図中に１０台に桁上げした符号を付して示し、前記実施の第１形態の説明を援用する。
【００５１】
本実施の形態において、１４は野地板で前記実施の第１形態の基盤４に対応し、また、同基盤となる野地板１４は梁１９で家屋の傾斜屋根を形成する位置決めがなされている。
【００５２】
すなわち、本実施の形態においては、梁１９で位置決めされた野地板１４の上面に防水層１５、保水層１６を介してポケット部１２を有するマット１１を設置し、同ポケット部１２に土壌１７及び保水材１８と共に緑化植物１３を保持させ、かつ、同マット１１のポケット部１２以外の地の部分にも必要に応じて緑化植物１３を植生するものである。
【００５３】
要するに本実施の形態は家屋の屋根の傾斜の為に梁１９を補う他は、前記実施の第１形態と実質的に同一のものとなり、実施の第１形態として説明した事項と重なるので、前記したように実施の第１形態の説明を全面的に援用し、重複する説明は省略する。
【００５４】
以上マット１または１１の設置形態が鉛直面となるか傾斜面となるかによって、あえて実施の第１形態と第２形態に区分して説明したが、これらの各実施の形態は、更に以下のような変形、応用を含み得るものである。
【００５５】
すなわち、マット１または１１の一体物としてその表側に向けて凸状に膨出（張り出し）加工して形成されるポケット部２、１２は、この張り出し部分だけを固化したものにすることができる。
【００５６】
適宜のバインダ物質を併用して一定の加熱、加圧条件下でポケット部２、１２を所定の加工することにより同ポケット部２、１２を局部的に固化することにより、同ポケット部２、１２に植え付ける緑化植物３、１３の保全性を高め、かつ、植え換えを一段と容易化し、四季折々に季節感を堪能することができる。
【００５７】
また、マット１、１１は前記ポケット部２、１２の局部固化だけでなく、地の部分を含めて全部が固化されるように、全体に亘って固化した硬質マットを採用し、これにポケット部２、１２を形成することも出来る。
【００５８】
このようなマット１、１１では地の部分に緑化植物３、１３を植生することはできなくなるが、マット１、１１が全体に亘って均一に固化されたものとなり、強度的なバランスも良くなるので、マット１、１１を面積の小さいものに小分割しても型崩れがしなくなり、移送、運搬等の取扱いも容易化し、ガーデニング等への適用、その他小区画の緑化等に適合して、緑化システムの適用範囲を多方面に拡張することが出来る。
【００５９】
また、前記マット１、１１を緑化植物３、１３を植生可能なものから一般的な熱硬化性のプラスチックに代えることにより、ポケット部２、１２を含めた緑化用器材としてのマット１、１１は、製作コストを大幅に低減することができ、緑化システムの普及、発展に寄与することができる。
【００６０】
また、前記と同様に、前記マット１、１１を緑化植物３、１３を植生可能なものから、吹き付けタイル用素材、または微細な砕石等を固化した硬質シート状部材等の内外装仕上げ材に代えることにより、マット１、１１自体の質感を重厚なものに変え、豪華な家屋、ビル状の建造物等にも適合性を持たせ得、緑化表面の適用対象の幅を拡張することができる。
【００６１】
なお、ここで採用する吹き付けタイル用素材は昨今建築現場で頻繁に採用されるに至った一般的なものが適用でき、また、硬質シート状部材としては、みかげ調のセラミックフレークにフッ素樹脂塗料をトップコートして作られたものとか、グラスファイバ強化不織布に工場塗装を施し、特殊なアクリルゴム系の防水接着剤を使用して下地材と一体化したもの、有色紙機器質骨材に合成樹脂エマルジョンを配合し、特殊な合成樹脂繊維により補強したシート状の内外装仕上げ材とか、天然石の砕石を特殊アクリルエマルジョン樹脂で混練加工したシート状の内外装仕上げ材があげられる。
【００６２】
そしてまた、前記ポケット部２、１２の裏側には、保水性に富んだ保水マットを設置し、同ポケット部２、１２の内部における保水機能をより一層安定化し、緑化植物３、１３の育成を一層向上することができる。
【００６３】
このように種々の変形を含み得るマット１、１１及びポケット部２、１２よりなる表面緑化用器材は、緑化対象が家屋の屋根、壁、塀、そして工事現場の仮囲い等々必要に応じて選択することになるが、このうち特に工事現場の仮囲いを緑化する場合には、基盤４として壁状に隙間のない平面状の部位を必ずしも要することなく、例えばパイプで組んだ枠に適当な間隔をおいて裏板を渡し、それを基盤４と同様に支えとして利用することもでき、時には裏板も必要とせず、パイプの枠組みに直接マット１を支持させることも可能である。
【００６４】
また、この仮囲いの緑化に際しては、全面を緑化するのではなく、商業公告板と組み合わせて緑化することにより、公告効果を向上することに加え、環境の美化を向上し、本来殺風景な工事現場を憩いの散歩道に変える等々、予想外の副次的な効果に連なることになる。
【００６５】
なおまた、緑化植物３、１３の植生に際し、前記したマット１、１１のうち緑化植物を植生可能なものは、緑化対象物とは離れた植生専用の育成場で植生を行い、そのマット１、１１を搬送して来て対象物に設置する等の応用を適用してもよいことは勿論である。
【００６６】
以上、本発明を図示の実施の形態を中心に部分的な変形、応用を含めて説明したが、本発明はかかる実施の形態に限定されず、本発明の範囲内でその具体的構造に種々の変更を加えてよいことはいうまでもない。
【００６７】
【発明の効果】
以上、本出願の請求項１の発明によれば、緑化植物を植生可能なマットを複数箇所で表側に向けて凸状に膨出させ、緑化植物と共に土壌や保水材等を保持する複数のポケット部を形成して家屋・塀・仮囲い等の建造物の表面緑化用器材を構成しているので、前記凸状の膨出加工により地の部分と一体物で構成された複数のポケット部を有する緑化用器材は、従来のこの種装置のように別体物として構成された複数のポケット状のプランタを取付けて一体化する構造ではないので、緑化用器材自体の加工、工作の簡便化、容易化により、同緑化用器材の製作、据え付け等のコストを大幅に節減できる。
【００６８】
しかもこの緑化用器材は、本来が緑化植物を植生可能なマットであるために、ポケット部以外の膨出していない地の部分においても緑化植物を植生し、ポケット部の緑化植物と相俟って多彩な緑化を実現し、癒し効果の高い緑化を具現し得る好適な家屋・塀・仮囲い等の建造物の表面緑化用器材を得ることができたものである。
【００６９】
また、請求項２に記載の発明によれば、前記請求項１に記載の発明において、前記表側に向けて凸状に膨出させたポケット部は、同凸状の膨出部分を固化して家屋・塀・仮囲い等の建造物の表面緑化用器材を構成しているので、固化したポケット部に植え付ける緑化植物の保全性を高め、かつ、植え換えの容易化を図り、四季折々に季節感に富んだ緑化を容易に実現できる好適な家屋・塀・仮囲い等の建造物の表面緑化用器材を得ることができたものである。
【００７０】
また、請求項３に記載の発明によれば、前記請求項１に記載の発明において、前記マットは、緑化植物を植生可能なマットに代えて、全体に亘って固化した硬質マットを採用して家屋・塀・仮囲い等の建造物の表面緑化用器材を構成しているので、強度的にもバランスが良くなり、型崩れすることなく容易に小分割出来、かつ運搬も容易となって、近年流行のガーデニング等を始めとして小区画の緑化等に適用範囲を拡張し、緑化システムの普及を図る好適な家屋・塀・仮囲い等の建造物の表面緑化用器材を得ることができたものである。
【００７１】
また、請求項４に記載の発明によれば、前記請求項１乃至３に記載の何れかの発明において、前記マットは繊維状素材により不織布状に形成した繊維マットで構成して家屋・塀・仮囲い等の建造物の表面緑化用器材を構成しているので、ポケット部の膨出加工の容易性に加えて緑化植物が根張りするのを容易にし、同緑化植物の育成を助長し、好適な家屋・塀・仮囲い等の建造物の表面緑化用器材を得ることができたものである。
【００７２】
また、請求項５に記載の発明によれば、前記請求項４に記載の発明において、前記繊維状素材は再生繊維を用いて家屋・塀・仮囲い等の建造物の表面緑化用器材を構成しているので、産業リサイクルに貢献するのみならず、その製造コストを更に一層節減し得る好適な家屋・塀・仮囲い等の建造物の表面緑化用器材を得ることができたものである。
【００７３】
また、請求項６に記載の発明によれば、前記請求項１に記載の発明において、前記緑化植物を植生可能なマットに代えて、熱硬化性のプラスチックを採用し、これに前記ポケット部を形成して家屋・塀・仮囲い等の建造物の表面緑化用器材を構成しているので、前記マット自体の製作コストを大幅に低減し、緑化システムの普及に寄与する好適な家屋・塀・仮囲い等の建造物の表面緑化用器材を得ることができたものである。
【００７４】
また、請求項７に記載の発明によれば、前記請求項１に記載の発明において、前記緑化植物を植生可能なマットに代えて、吹き付けタイル用素材、または微細な砕石等を固化した硬質シート状部材等の内外装仕上げ材を採用し、これに前記ポケット部を形成して家屋・塀・仮囲い等の建造物の表面緑化用器材を構成しているので、マット自体の質感を重厚なものに変え、豪華な家屋壁面、ビル状の建造物にも適合性を持たせ得、緑化表面の適用対象の幅を拡張し、緑化システムの普及に寄与する好適な家屋・塀・仮囲い等の建造物の表面緑化用器材を得ることができたものである。
【００７５】
また、請求項８に記載の発明によれば、前記請求項１乃至７に記載の何れかの発明において、前記それぞれのマットを複数箇所で表側に向けて凸状に膨出させて形成したポケット部の裏側には、保水性に富んだ保水マットを設置して家屋・塀・仮囲い等の建造物の表面緑化用器材を構成しているので、緑化植物を植生可能なマット、繊維状素材により不織布状に形成した繊維マット、再生繊維を用いて形成したマット、熱硬化性のプラスチックで形成したマット、そして微細な砕石を固化した質感の硬質シート状内外装仕上げ材を採用したマット等々の各ポケット部内における保水機能はより安定化し、緑化植物の育成に一層寄与し得る好適な家屋・塀・仮囲い等の建造物の表面緑化用器材を得ることができたものである。
【００７６】
そしてまた、請求項９に記載の発明によれば、前記請求項１乃至８の何れかに記載の発明における表面緑化用器材を用い、そのポケット部に土壌や保水材を収納して緑化植物を植え込み、これを取付けて家屋・塀・仮囲い等を緑化するようにして家屋・塀・仮囲い等の建造物の表面緑化方法を構成しているので、前記請求項１乃至７それぞれにおける表面緑化用器材の何れかを選択して使用し、同選択した表面緑化用器材に適切な緑化植物をその育成に寄与する土壌や保水材と共に収納し、これを緑化の対象とする家屋・塀・仮囲い等の表面に取り付けるという簡単、簡潔なステップで、容易かつ適切に所期の表面緑化を行い得る家屋・塀・仮囲い等の建造物の表面緑化方法を得ることが出来たものである。
【図面の簡単な説明】
【図１】本発明の実施の第１形態に係る表面緑化用器材の一部を抜粋して示す正面図である。
【図２】図１のＡ−Ａ断面図である。
【図３】図１のＢ−Ｂ断面図である。
【図４】本発明の実施の第２形態に係る表面緑化用器材の一部を示す断面図である。
【符号の説明】
１        マット
２        ポケット部
３        緑化植物
４        基盤
５        防水層
６        保水層
７        土壌
８        保水材
１１        マット
１２        ポケット部
１３        緑化植物
１４        野地板
１５        防水層
１６        保水層
１７        土壌
１８        保水材
１９        梁
【図１】
2004267084.tif 000003
【図２】
2004267084.tif 000004
【図３】
2004267084.tif 000005
【図４】
2004267084.tif 000006